(57)【要約】【課題】所望の仕分け情報を有するグループを容易に選択して画像形成を行うことができる、画像形成装置を提供すること。【解決手段】メモリー１〜９を有する記憶手段１２を備え、メモリー１〜９の各々に、１５個のグループの各々の仕分け情報を記憶させ、メモリーを任意に１つ選択して読み出した後、該メモリーに属するグループを任意に１つ以上選択してその仕分け情報を読み出して、当該仕分け情報に基づいて印刷を行う、孔版印刷機であって、メモリー及びグループに対する名前を文字で入力する、名前入力手段１１２と、入力された名前を記憶手段１２に記憶させる、名前登録手段１０２と、を備えている。【選択図】  図２
2004330430.tif 000002
【特許請求の範囲】
【請求項１】
複数のメモリエリアを有する記憶手段を備え、各メモリエリア毎に、１以上のグループの各々の仕分け情報を記憶させ、メモリエリアを任意に１つ選択して読み出した後、該メモリエリアに属するグループを任意に１つ以上選択してその仕分け情報を読み出して、当該仕分け情報に基づいて画像形成を行う、画像形成装置であって、
メモリエリア及びグループに対する名前を文字で入力する、名前入力手段と、入力された名前を記憶手段に記憶させる、名前登録手段と、を備えていることを特徴とする画像形成装置。
【請求項２】
各種の操作キーを有する操作パネルを備えており、
操作パネルが名前入力手段を有している、請求項１記載の画像形成装置。
【請求項３】
操作パネルが、表示画面を有しており、名前入力手段が、表示画面に表示される文字キーボードで構成されている、請求項２記載の画像形成装置。
【請求項４】
各種の操作キーを有する操作パネルを備えており、
操作パネルが表示画面を有しており、表示画面には、メモリエリア名の一覧と、選択したメモリエリアに属するグループ名の一覧が、同時に又は別々に、表示されるようになっており、操作パネルは、メモリエリア及びグループを任意に選択可能となっている、請求項１記載の画像形成装置。
【請求項５】
表示画面がタッチスクリーンからなっている、請求項３又は４に記載の画像形成装置。
【請求項６】
選択されたグループ毎に仕分け情報に基づいた画像形成が終了すると、当該グループ毎の最後の画像形成用紙の上に、当該グループ名を印字したテープを載置させる、テープ載置手段を備えている、請求項１記載の画像形成装置。
【請求項７】
テープに当該グループの仕分け情報も印字するようになっている、請求項６記載の画像形成装置。
【請求項８】
仕分け情報が複数の組数を有するものである場合には、テープに組数に対応した分類情報も印字するようになっている、請求項７記載の画像形成装置。
【請求項９】
操作パネルの表示画面に、画像形成を行っている最中のグループ名が他のグループ名と区別されて表示されるようになっている、請求項４記載の画像形成装置。
【請求項１０】
グループの仕分け情報を更新した日付を、記憶手段に記憶させる、仕分け情報更新日登録手段を備えている、請求項１記載の画像形成装置。
【請求項１１】
一部又は全部のメモリエリアが、当該メモリエリアについて予め固有に設定された認証情報を入力した場合のみ選択可能となっている、請求項１記載の画像形成装置。
【請求項１２】
認証情報が、固有のカードをカード読み取り手段に読ませることによって、入力されるようになっている、請求項１１記載の画像形成装置。
【請求項１３】
認証情報が、ユーザーＩＤである、請求項１１記載の画像形成装置。
【請求項１４】
記憶手段が、１つ以上の外部記憶手段であり、任意に選択して使用できるようになっている、請求項１記載の画像形成装置。
【発明の詳細な説明】
【０００１】
【発明の属する技術分野】
本発明は、印刷機、複写機、プリンターなどの画像形成装置に関するものである。
【０００２】
【従来の技術】
複数のメモリエリアを有する記憶手段を備え、各メモリエリア毎に、１以上のグループの各々の仕分け情報を記憶させ、メモリエリアを任意に１つ選択して読み出した後、該メモリエリアに属するグループを任意に１つ以上選択してその仕分け情報を読み出して、当該仕分け情報に基づいて画像形成を行う、画像形成装置は、既に公知である。
【０００３】
【特許文献１】
特開平９−１６９１５５号公報
【特許文献２】
特開平７−１７２２号公報
【特許文献３】
特開平１１−８４９４８号公報
【０００４】
【発明が解決しようとする課題】
ところで、ユーザーにおいては、仕分け情報を登録して画像形成を行った後、しばらくしてから、同じ仕分け情報に基づいた画像形成を行いたい場合があり得る。しかしながら、上記従来の画像形成装置では、メモリエリアやグループに、内容を推測できるような名称が付されていないので、どのメモリエリアの、どのグループに、所望の仕分け情報が記憶されているのか、わからなくなる場合があった。そのような場合には、所望の仕分け情報を探したり改めて入力したりする手間が掛かるため、面倒であった。
【０００５】
本発明は、所望の仕分け情報を有するグループを容易に選択して画像形成を行うことができる、画像形成装置を提供することを目的とする。
【０００６】
【課題を解決するための手段】
請求項１記載の発明は、複数のメモリエリアを有する記憶手段を備え、各メモリエリア毎に、１以上のグループの各々の仕分け情報を記憶させ、メモリエリアを任意に１つ選択して読み出した後、該メモリエリアに属するグループを任意に１つ以上選択してその仕分け情報を読み出して、当該仕分け情報に基づいて画像形成を行う、画像形成装置であって、メモリエリア及びグループに対する名前を文字で入力する、名前入力手段と、入力された名前を記憶手段に記憶させる、名前登録手段と、を備えていることを特徴としている。
【０００７】
請求項２記載の発明は、請求項１記載の発明において、各種の操作キーを有する操作パネルを備えており、操作パネルが名前入力手段を有しているものである。
【０００８】
請求項３記載の発明は、請求項２記載の発明において、操作パネルが、表示画面を有しており、名前入力手段が、表示画面に表示される文字キーボードで構成されているものである。
【０００９】
請求項４記載の発明は、請求項１記載の発明において、各種の操作キーを有する操作パネルを備えており、操作パネルが表示画面を有しており、表示画面には、メモリエリア名の一覧と、選択したメモリエリアに属するグループ名の一覧が、同時に又は別々に、表示されるようになっており、操作パネルは、メモリエリア及びグループを任意に選択可能となっているものである。
【００１０】
請求項５記載の発明は、請求項３又は４に記載の発明において、表示画面がタッチスクリーンからなっているものである。
【００１１】
請求項６記載の発明は、請求項１記載の発明において、選択されたグループ毎に仕分け情報に基づいた画像形成が終了すると、当該グループ毎の最後の画像形成用紙の上に、当該グループ名を印字したテープを載置させる、テープ載置手段を備えているものである。
【００１２】
請求項７記載の発明は、請求項６記載の発明において、テープに当該グループの仕分け情報も印字するようになっているものである。
【００１３】
請求項８記載の発明は、請求項７記載の発明において、仕分け情報が複数の組数を有するものである場合には、テープに組数に対応した分類情報も印字するようになっているものである。
【００１４】
請求項９記載の発明は、請求項４記載の発明において、操作パネルの表示画面に、画像形成を行っている最中のグループ名が他のグループ名と区別されて表示されるようになっているものである。
【００１５】
請求項１０記載の発明は、請求項１記載の発明において、グループの仕分け情報を更新した日付を、記憶手段に記憶させる、仕分け情報更新日登録手段を備えているものである。
【００１６】
請求項１１記載の発明は、請求項１記載の発明において、一部又は全部のメモリエリアが、当該メモリエリアについて予め固有に設定された認証情報を入力した場合のみ選択可能となっているものである。
【００１７】
請求項１２記載の発明は、請求項１１記載の発明において、認証情報が、固有のカードをカード読み取り手段に読ませることによって、入力されるようになっているものである。
【００１８】
請求項１３記載の発明は、請求項１１記載の発明において、認証情報が、ユーザーＩＤであるものである。
【００１９】
請求項１４記載の発明は、請求項１記載の発明において、記憶手段が、１つ以上の外部記憶手段であり、任意に選択して使用できるようになっているものである。
【００２０】
【発明の実施の形態】
図１は本発明の画像形成装置である孔版印刷機１の全体構成を示す正面部分断面図である。この孔版印刷機１は、本体２と画像読み取り部３とで構成されている。本体２は、製版部５、印刷部６、排版部７、給紙部８、及び、排紙部９を備えている。更に、本体２は、テープ載置手段４も備えている。
【００２１】
孔版印刷機１は、上記各部が次のように作動することによって、印刷（画像形成）を行うようになっている。即ち、製版部５では、マスターロール５１が、画像読み取り部３からの情報に基づいてサーマルヘッド５２により製版され、所定の長さのマスターに切断され、印刷部６へ送られる。印刷部６では、マスターが版胴６１へ貼り付けられ、給紙部８から送られてきた用紙８１がプレスローラ６２により版胴６１へ押付けられ、インクローラ６３により供給されるインクがマスターを介して用紙８１に塗布される。排版部７では、版胴６１に貼り付けられているマスターが取外されて回収される。排紙部９では、用紙８１が、紙はがし爪９１により版胴６１に貼り付いているマスターから剥がされ、排紙ベルト９２により紙受台９３へ送られる。給紙部８では、積層状態で収納されている用紙８１が、さばき板８２及び給紙ローラ８３により１枚ずつ分離され、版胴６１へ送られる。なお、給紙部８において、版胴６１の手前には、用紙８１の通過を検知する検出センサ８４と、版胴６１の回転に同期して所定のタイミングで用紙８１を版胴６１へ送り出すフィードローラ８５，８６が配置されている。また、排紙部９においては、紙はがし爪９１と用紙８１との間に空気を送り込んで用紙８１を剥がれやすくさせる送風部９４と、用紙８１を排紙ベルト９２上に吸着させることにより安定して送るためのファンユニット９５とが設けられている。
【００２２】
図２は本発明の孔版印刷機１の制御ブロック図である。制御部１０は、所定の処理を行うＣＰＵと、所定の処理プログラムが記憶されているＲＯＭと、処理データを一時的に記憶するＲＡＭと、を備えている。制御部１０には、操作パネル１１、記憶手段１２、画像読み取り部３、製版部５、印刷部６、排版部７、給紙部８、排紙部９、及び、テープ載置手段４が接続されている。制御部１０及び記憶手段１２は、本体２に内蔵されている。操作パネル１１は、本体２の前面上部に設けられている。操作パネル１１は、図３に示すように、テンキーＡ、各種の操作キー、及び、液晶画面Ｂを有している。
【００２３】
記憶手段１２は、複数のメモリエリアを有しており、各メモリエリア毎に、１以上のグループの仕分け情報を記憶するようになっている。「仕分け情報」とは、ここでは、枚数及び組数を言う。枚数とは、グループ毎に予定されている印刷枚数であり、組数とは、当該印刷枚数の部数である。
【００２４】
操作パネル１１は、各グループ毎の仕分け情報を入力する仕分け情報入力手段１１１と、メモリエリア及びグループに対する名前を文字で入力する名前入力手段１１２と、を備えている。
【００２５】
制御部１０は、入力された仕分け情報を記憶手段１２に記憶させる仕分け情報登録手段１０１と、入力された名前を記憶手段１２に記憶させる名前登録手段１０２と、を備えている。
【００２６】
仕分け情報入力手段１１１は、テンキーＡを用いて実行されるようになっている。即ち、仕分け情報は、次のように入力して登録される。
【００２７】
［仕分け情報の入力・登録］
操作パネル１１のユーザー設定キーＣを押すと、図４に示すように、液晶画面Ｂに「ユーザー設定」画面が表示される。次に、「メモリー機能設定」を十字キーＤで選択してＯＫキーＥを押すと、図５に示すように、液晶画面Ｂに「メモリー機能設定」画面が表示される。次に、「保存」を十字キーＤで選択してＯＫキーＥを押すと、図６に示すように、液晶画面Ｂに、「メモリー機能設定・保存」と題してメモリー１〜９の一覧が表示される。次に、例えば「メモリー１」を十字キーＤで選択してＯＫキーＥを押すと、図７に示すように、液晶画面Ｂに、「保存」と題して、メモリー１に属する１〜１５のグループの一覧が表示される。そして、例えば「１」のグループの「枚」の前の「０」を十字キーＤで選択して、テンキーＡの例えば「３」、「０」を続いて押してＯＫキーＥを押すと、「枚」の前に「３０」が入力され、次に、「組」の前の「０」を十字キーＤで選択して、テンキーＡの例えば「１」を押してＯＫキーＥを押すと、「組」の前に「１」が入力される。そして、再度、ＯＫキーＥを押すと、仕分け情報登録手段１０１によって、入力した数がそのグループの枚数及び組数として、記憶手段１２に記憶される。即ち、登録される。ここでは、グループ１に「３０」枚「１」組が登録される。
【００２８】
名前入力手段１１２は、液晶画面Ｂに表示される文字キーボードを用いて実行されるようになっている。即ち、メモリエリア及びグループの名前は、次のように入力して登録される。
【００２９】
［メモリー（メモリエリア）名の入力・登録］
液晶画面Ｂに、図５に示す「メモリー機能設定」画面を表示するところまでは、上記仕分け情報の入力の場合と同様である。次に、「名前の変更（メモリー）」を十字キーＤで選択してＯＫキーＥを押すと、図８に示すように、液晶画面Ｂに、「名前の変更（メモリー）」と題してメモリー１〜９の一覧が表示される。次に、例えば「メモリー１」を十字キーＤで選択してＯＫキーＥを押すと、図９に示すように、液晶画面Ｂに、カタカナ文字キーボードＦが表示される。そして、キーボードＦを、例えば「ギ」と押してＯＫキーＥを押し、「ヨ」と押してＯＫキーＥを押し、「ウ」と押してＯＫキーＥを押し、「ム」と押してＯＫキーＥを押すと、「ギョウム」という名前がキーボードＦの上部に表示される。そして、ＯＫキーＥを押すと、名前登録手段１０２により、「メモリー１」の表示が「ギョウム」という表示に変わる。即ち、「メモリー１」の表示に代えて「ギョウム」という名が登録されたことになる。
【００３０】
［グループ名の入力・登録］
液晶画面Ｂに、図５に示す「メモリー機能設定」画面を表示するところまでは、上記仕分け情報の入力の場合と同様である。次に、「名前の変更（グループ）」を十字キーＤで選択してＯＫキーＥを押すと、図１０に示すように、液晶画面Ｂに、「名前の変更（グループ）」と題してメモリー１〜９の一覧が表示される。次に、例えば「メモリー１」（既に名前が付されている場合にはその名前）を十字キーＤで選択してＯＫキーＥを押すと、図１１に示すように、液晶画面Ｂに、「名前の変更（グループ）」と題して、１〜１５のグループの一覧が表示される。次に、例えばグループの「１」番を十字キーＤで選択してＯＫキーＥを押すと、図９に示すように、カタカナ文字キーボードＦが表示される。そして、キーボードＦを、例えば「ソ」と押してＯＫキーＥを押し、「ウ」と押してＯＫキーＥを押し、「ム」と押してＯＫキーＥを押すと、「ソウム」という名前がキーボードＦの上部に表示される。そして、再度、ＯＫキーＥを押すと、名前登録手段１０２により、グループの「１」の表示が「ソウム」という表示に変わる。即ち、グループ「１」の表示に代えて「ソウム」という名が登録されたことになる。
【００３１】
なお、図９のキーボードＦの切替ボタンＦ１を押すと、図１２に示すように、液晶画面Ｂに、アルファベット文字キーボードＧが表示される。このキーボードＧを押すことによって、アルファベットで名前を付すこともできる。キーボードＧの切替ボタンＧ１を押すと、図９のキーボードＦが表示される。
【００３２】
上記のような入力・登録作業を繰り返すことにより、図１３に示すように、「メモリー１」、「メモリー２」、……、「メモリー９」に、それぞれ、「ギョウム」、「セイサン」、……、「シテン」という名を付すことができ、更に、図１４に示すように、例えば「ギョウム」に属する１〜１５のグループに、それぞれ、「ソウム」、「ケイリ」、「ジンジ」、……、「ショム」という名を付すことができる。図１５は「セイサン」に属するグループに付した名の一覧を示し、図１６は「シテン」に属するグループに付した名の一覧を示す。なお、メモリーの数を９個、グループの数を１５個としているが、これに限るものではない。
【００３３】
次に、メモリー名、グループ名、及び、仕分け情報が入力された上記構成の孔版印刷機１の作動について説明する。
【００３４】
まず、次のようにして印刷待機状態となる。
即ち、画像読み取り部３に原稿をセットして、操作パネル１１の製版キーＨを押すと、画像読み取り部３から原稿の画像データ信号が制御部１０に送られるとともに、制御部１０から、製版部５、印刷部６、及び、排版部７に、それぞれ動作信号が送られる。これら各部は、動作信号を受けると、次のように作動する。即ち、製版部６は、版胴６１の外周面から使用済マスターを剥がして回収する。一方、製版部５は、画像データ信号に基づいてサーマルヘッド５２の素子を発熱させて製版済マスターを作成する。そして、使用済マスターが回収された後に、製版済マスターが印刷部６へ送られ、印刷部６は、製版済マスターを版胴６１に巻き付ける。これにより、孔版印刷機１は、印刷待機状態となる。
【００３５】
次に、使用者は、印刷したいグループを選択する。その選択は、次のように行う。即ち、液晶画面Ｂに、図５に示す「メモリー機能設定」画面を表示するところまでは、上記仕分け情報の入力の場合と同様である。次に、「読出し」を十字キーＤで選択してＯＫキーＥを押すと、図１７に示すように、液晶画面Ｂに、「メモリー機能設定・読出し」と題して、「ギョウム」、「セイサン」、……、「シテン」が一覧表示される。次に、例えば「ギョウム」を十字キーＤで選択してＯＫキーＥを押すと、図１８に示すように、液晶画面Ｂに、「読出し」と題して、「ソウム」、「ケイリ」、…「ショム」が一覧表示される。そして、例えば「ソウム」を十字キーＤで選択してＯＫキーＥを押すと、「ソウム」が選択されたこととなる。十字キーＤで選択してＯＫキーＥを押すという操作を繰り返せば、複数のグループを選択できる。全グループを選択する場合には、「全部」を十字キーＤで選択してＯＫキーＥを押す。
【００３６】
そして、操作パネル１１のプリントキーＪを押すと、印刷動作が開始する。ここでは、「ギョウム」が選択されて「全部」が選択されている場合について説明する。プリントキーＪを押すと、操作パネル１１からプリント開始信号が制御部１０に送られ、制御部１０では最初のグループである「ソウム」の仕分け情報が記憶手段１２から読み出されるとともに、制御部１０から、給紙部８、印刷部６、及び、排紙部９に、それぞれ動作信号が送られる。これら各部は、動作信号を受けると、次のように作動する。即ち、給紙部８は、積層状態で収納されている用紙８１を、１枚ずつ分離し、版胴６１の回転に同期させて所定のタイミングで版胴６１へ送る。印刷部６は、給紙部８から送られてきた用紙８１を版胴６１へ押付け、インクを製版済マスターを介して用紙８１に塗布する。排紙部９は、インク塗布後の用紙８１を版胴６１に貼り付いている製版済マスターから剥がし、排紙ベルト９２により紙受台９３へ送る。こうして、印刷済の用紙８１が紙受台９３へ積載されていく。そして、給紙部８又は印刷部６に設けられたカウンター（図示せず）が、「ソウム」の仕分け情報の枚数をカウントすると、制御部１０から、給紙部８、印刷部６、及び、排紙部９に、それぞれ停止信号が送られ、印刷動作が一時停止する。
【００３７】
ところで、本発明の孔版印刷機１は、図１に示すように、テープ載置手段４を備えている。テープ載置手段４は、図１９に示すように、テープ送出機構４１と、印字機構４２と、カッター機構４３と、を備えている。テープ送出機構４１は、テープ４１１が巻き付けられたリール４１２と、リール４１２を回転可能に支持する軸４１３と、ガイドローラ４１４と、駆動ローラ４１５，４１６と、からなっており、テープ４１１を、リール４１２から引き出しながら、駆動ローラ４１５，４１６の回転によって、矢印方向へ送出するようになっている。印字機構４２は、パッドローラ４２１と、印字ヘッド４２２と、インクリボン４２３がリール４２４，４２５に巻き付けられているインクリボンカートリッジ４２６と、リール４２４，４２５を回転駆動する駆動軸４２７，４２８と、からなっており、パッドローラ４２１と印字ヘッド４２２との間を通るテープ４１１に、印字ヘッド４２２によってインクリボン４２３を押し付けることによって、印字するようになっている。カッター機構４３は、固定カッター４３１と、可動カッター４３２と、からなっており、両者の間を通るテープ４１１に対して可動カッター４３２を下方へ移動させることによって、テープ４１１を切断するようになっている。
【００３８】
図２０はテープ載置手段４の使用状況を示す斜視図である。紙受台９３は、ベース９３１と、エンドプレート９３２と、用紙サイズに合わせて位置調節可能なサイドガイド９３３及び先端ガイド９３４と、からなっている。
【００３９】
そして、テープ載置手段４は、制御部１０から給紙部８などに停止信号が送られる際に、制御部１０から動作信号を受けて、次のように作動する。即ち、印字機構４２によって、図２１に示すように、「ソウム」という名とその仕分け情報がテープ４１１に印字され、印字されたテープ４１１が、テープ送出機構４１によって、図２０に示すように、積載された用紙８１上に送出され、カッター機構４３によって切断され、最上部の用紙８１上に載置される。なお、テープ載置手段４は、テープ４１１の印字部分が用紙８１の端から出るように、テープ４１１を載置するようになっている。
【００４０】
テープ載置手段４の上記作動が終了すると、制御部１０では、「ソウム」の次のグループである「ケイリ」の仕分け情報が記憶手段１２から読み出されるとともに、上記停止信号が解除され、制御部１０から給紙部８、印刷部６、及び、排紙部９に、それぞれ動作信号が送られる。そして、上記と同様に、印刷が行われ、「ケイリ」の仕分け情報の枚数がカウントされると、制御部１０から給紙部８などに停止信号が送られ、印刷動作が一時停止する。なお、「ケイリ」の仕分け情報では、組数が「３」であるので、上記印刷動作の一時停止は、１組分が印刷された段階で起こる。テープ載置手段４は、図２２に示すように、「ケイリ」という名と、その仕分け情報と、１組目であることを示す分類情報である「１／３」とを、テープ４１１に印字して、最上部の用紙８１上にテープ４１１を載置する。
【００４１】
テープ載置手段４の作動が終了すると、上記と同様にして、「ケイリ」の２組目が印刷され、テープ４１１は、図２３に示すように印字されて用紙８１上に載置される。次いで、「ケイリ」の３組目が印刷され、テープ４１１は、図２４に示すように印字されて載置される。そして、「ジンジ」、……、「ショム」まで、上記と同様にして、順次、印刷されるとともに、テープ４１１が、印字されて載置される。
【００４２】
こうして、選択したグループについて、仕分け情報に基づいた印刷が行われる。しかも、積載された用紙８１は、グループ毎に、更には組毎に、仕分け情報などが印字されたテープ４１１によって区分けされる。なお、上記では、グループの「全部」を選択した場合について説明したが、任意の１個の、又は、全部以外の任意の複数個の、グループを選択した場合も、上記と同様に、印刷されてテープ４１１が載置される。もちろん、常に「全部」が選択されるように設定してもよい。通常は、メモリー毎に、実際の作業内容毎の仕分け情報が登録されているので、常に「全部」が選択されるように設定しておけば、ユーザーは、メモリーを選択するだけで作業内容を容易に把握することができる。
【００４３】
以上のように、本発明の孔版印刷機１によれば、メモリー及びグループに名前を付すことができるので、その名前を手懸りとして所望の仕分け情報を容易に得ることができる。従って、従来における、所望の仕分け情報がどこに記憶されているのか不明となってしまうという不具合を、解消でき、所望の印刷を簡単且つ確実に行うことができる。
【００４４】
しかも、仕分け情報などが印字されたテープ４１１によって、積載された印刷済用紙８１が区分けされており、しかも、その仕分け情報を確認できるので、印刷済用紙８１を仕分けて区分けする手間を省くことができる。
【００４５】
本発明の孔版印刷機１は、更に、次のような構成を採用してもよい。
（１）印刷作動中においては、図２５に示すように、液晶画面Ｂにおいて、印刷中のグループ名を他のグループ名と区別して表示するために、例えば、選択されたグループ名のみが表示されるとともに、印刷中のグループ名の横に矢印が表示されるようになっている。これによれば、印刷の作業情報を明確に知ることができる。
【００４６】
（２）仕分け情報入力手段１１１により、仕分け情報を更新して入力した場合には、更新した日付が、制御部１０の仕分け情報更新日登録手段１０３によって、記憶手段１２に当該グループに関連付けて記憶されるようになっている。これによれば、最新の仕分け情報か否かを知ることができる。
【００４７】
（３）一部又は全部のメモリーについて、選択制限が付加されている。即ち、所定のメモリーについては、当該メモリーについて予め固有に設定された認証情報を入力した場合のみ、選択できるようになっている。これによれば、当該メモリーを所定のユーザー専用に使用できるようになり、仕分け情報の不正な書換も防止できる。なお、認証情報としては、例えばユーザーＩＤやパスワードを用いることができる。また、認証情報は、ユーザー専用の固有のカードをカード読み取り手段に読ませることによって入力するようにしてもよい。
【００４８】
（４）名前入力手段１１２として、操作パネル１１に文字キーボードが配設されている。
【００４９】
（５）液晶画面Ｂがタッチスクリーンで構成されており、画面上にてキー操作できるようになっている。これによれば、操作が非常に簡単となる。
【００５０】
（６）１つの原稿を仕分け情報に基づいて印刷した後、更に次の原稿を仕分け情報に基づいて印刷する場合、即ち、複数の原稿を各々仕分け情報に基づいて続けて印刷する場合において、原稿が、自動原稿給紙装置（Ａｕｔｏ  ｄｏｃｕｍｅｎｔ  ｆｅｅｄｅｒ）によって画像読み取り部３に送られるようになっている。
【００５１】
（７）インターフェースを介して、パーソナルコンピューターなどの端末機がオンライン接続されており、当該端末機から仕分け情報が入力可能となっている。
【００５２】
（８）テープ４１１にユーザー名も印字するようになっている。
【００５３】
（９）原稿として、メモリカードなどの外部記憶装置に記憶されている画像を用いる場合において、当該画像と共に記憶されている原稿情報も、テープ４１１に印字されるようになっている。原稿情報としては、例えば、原稿の種類（例えば写真かテキストか）、ページ番号、作成日、作成者、原稿サイズ、編集内容などがある。
【００５４】
（１０）記憶手段１２に代えて、１つ以上の外部記憶手段、例えば、フレキシブルディスク、ＣＤ−ＲＯＭ、メモリカードなどを用いてもよい。これによれば、各外部記憶手段に、各ユーザー固有の仕分け情報を記憶させて、各ユーザー単位で情報管理を行うことができる。
【００５５】
【発明の効果】
請求項１記載の発明によれば、メモリー及びグループに名前を付すことができるので、その名前を手懸りとして所望の仕分け情報を容易に得ることができる。従って、従来における、所望の仕分け情報がどこに記憶されているのか不明となってしまうという不具合を、解消でき、所望の印刷を簡単且つ確実に行うことができる。
【００５６】
請求項２記載の発明によれば、操作パネルによって容易に名前を入力することができる。
【００５７】
請求項３記載の発明によれば、文字キーボードを操作パネルに常に備えている必要がないので、操作パネルを簡素化できる。
【００５８】
請求項４記載の発明によれば、メモリエリア名やグループ名の一覧を見ながらメモリエリアやグループを選択できるので、選択を容易に行うことができる。
【００５９】
請求項５記載の発明によれば、表示画面に触れるだけで操作できるので、容易に操作することができる。
【００６０】
請求項６記載の発明によれば、グループ名が印字されたテープによって、積載された印刷済用紙のグループ名を確認できるので、印刷済用紙の仕分けにおけるグループの間違いを防止できる。
【００６１】
請求項７記載の発明によれば、印刷済用紙の仕分け情報を確認できるので、印刷済用紙の仕分けの間違いを防止できる。
【００６２】
請求項８記載の発明によれば、組毎の仕分けを容易に行うことができる。
【００６３】
請求項９記載の発明によれば、印刷の処理経過を確認することができる。
【００６４】
請求項１０記載の発明によれば、最新の仕分け情報を確認することができる。
【００６５】
請求項１１記載の発明によれば、メモリエリアを認証情報を有する者のみに使用させることができ、また、仕分け情報の不正な書換も防止できる。
【００６６】
請求項１２記載の発明によれば、認証情報の入力を容易に行うことができる。
【００６７】
請求項１３記載の発明によれば、メモリエリアを所定のユーザー専用に使用させることができる。
【００６８】
請求項１４記載の発明によれば、各外部記憶手段に、各ユーザー固有の仕分け情報を記憶させて、各ユーザー単位で情報管理を行うことができる。
【図面の簡単な説明】
【図１】本発明の孔版印刷機の全体構成を示す正面部分断面図である。
【図２】本発明の孔版印刷機の制御ブロック図である。
【図３】操作パネルの平面略図である。
【図４】操作パネルの表示画面に表示される操作途中の「ユーザー設定」画面を示す図である。
【図５】操作パネルの表示画面に表示される操作途中の「メモリー機能設定」画面を示す図である。
【図６】操作パネルの表示画面に表示される操作途中の「メモリー機能設定・保存」画面を示す図である。
【図７】操作パネルの表示画面に表示される操作途中のグループの「保存」画面を示す図である。
【図８】操作パネルの表示画面に表示される操作途中の「名前の変更（メモリー）」画面を示す図である。
【図９】操作パネルの表示画面に表示される操作途中の「名前の変更」画面を示す図である。
【図１０】操作パネルの表示画面に表示される操作途中のメモリーの「名前の変更（グループ）」画面を示す図である。
【図１１】操作パネルの表示画面に表示される操作途中のグループの「名前の変更（グループ）」画面を示す図である。
【図１２】操作パネルの表示画面に表示される操作途中の「名前の変更」画面の別の例を示す図である。
【図１３】操作パネルの表示画面に表示される名前登録後の「メモリー機能設定・保存」画面を示す図である。
【図１４】操作パネルの表示画面に表示される名前登録後のグループの「保存」画面を示す図である。
【図１５】操作パネルの表示画面に表示される名前登録後のグループの「保存」画面の別の例を示す図である。
【図１６】操作パネルの表示画面に表示される名前登録後のグループの「保存」画面の別の例を示す図である。
【図１７】操作パネルの表示画面に表示される操作途中の「メモリー機能設定・読出し」画面を示す図である。
【図１８】操作パネルの表示画面に表示される操作途中のグループの「読出し」画面を示す図である。
【図１９】テープ載置手段の構成を示す縦断面図である。
【図２０】テープ載置手段の使用状況を示す斜視図である。
【図２１】印字されたテープを示す平面図である。
【図２２】印字されたテープの別の例を示す平面図である。
【図２３】印字されたテープの別の例を示す平面図である。
【図２４】印字されたテープの別の例を示す平面図である。
【図２５】操作パネルの表示画面に表示される印刷途中の「読出し」画面であって印刷の処理経過も表示されている画面を示す図である。
【符号の説明】
１  孔版印刷機
１１  操作パネル
１０２  名前登録手段
１１２  名前入力手段
Ｂ  液晶画面
【図１】
2004330430.tif 000003
【図２】
2004330430.tif 000004
【図３】
2004330430.tif 000005
【図４】
2004330430.tif 000006
【図５】
2004330430.tif 000007
【図６】
2004330430.tif 000008
【図７】
2004330430.tif 000009
【図８】
2004330430.tif 000010
【図９】
2004330430.tif 000011
【図１０】
2004330430.tif 000012
【図１１】
2004330430.tif 000013
【図１２】
2004330430.tif 000014
【図１３】
2004330430.tif 000015
【図１４】
2004330430.tif 000016
【図１５】
2004330430.tif 000017
【図１６】
2004330430.tif 000018
【図１７】
2004330430.tif 000019
【図１８】
2004330430.tif 000020
【図１９】
2004330430.tif 000021
【図２０】
2004330430.tif 000022
【図２１】
2004330430.tif 000023
【図２２】
2004330430.tif 000024
【図２３】
2004330430.tif 000025
【図２４】
2004330430.tif 000026
【図２５】
2004330430.tif 000027